(57)【特許請求の範囲】
【請求項１】
トラクタに牽引されて走行するコンテナ積載用セミトレーラのトレーラ本体に設けられ、コンテナに係合する使用位置と前記コンテナとの干渉を避ける収納位置とに回動自在な反転式のコンテナ締結装置であって、
前記トレーラ本体に設けられ、走行方向前後の側壁を有し上面に開口部が形成された台座部と、
前記台座部に走行方向を向いて取り付けられた支持軸に設けられ、前記コンテナに形成された係合孔に前記開口部から突出して係合する使用位置と前記台座部内に入り込む収納位置との間に前記支持軸を中心に回動する受け台と、
前記受け台に回動自在に装着され、前記コンテナ内に入り込んで前記コンテナを締結する締結位置と締結を解除する開放位置との間に回動する係合頭部が先端に設けられたロックシャフトと、
前記台座部に上下方向を向いて回動自在に装着され、前記受け台が前記使用位置となったときに前記ロックシャフトの基端部に設けられた第１の噛み合い部に噛み合い、前記受け台が収納位置となったときに前記第１の噛み合い部との噛み合いを解除する第２の噛み合い部が設けられたハンドルシャフトと、
前記ハンドルシャフトに取り付けられ、前記台座部の側壁に形成されたハンドル孔を介して作業者により前記ハンドルシャフトを介して前記係合頭部を前記締結位置と前記開放位置とに回動操作されるハンドルとを有し、
前記受け台を前記収納位置に回動させたときには、前記ロックシャフトが前記ハンドルシャフトから離れることを特徴とする反転式のコンテナ締結装置。
【請求項２】
請求項１記載の反転式のコンテナ締結装置において、前記ハンドルシャフトと前記台座部との間に装着され、前記ハンドルシャフトが前記締結位置および前記開放位置となったときにそれぞれの位置を保持する方向のばね力を前記ハンドルシャフトに加えるばね部材を有することを特徴とする反転式のコンテナ締結装置。
【請求項３】
請求項１または２記載の反転式のコンテナ締結装置において、前記台座部に開閉自在に装着され、前記受け台が前記使用位置となったときに前記受け台に当接して前記受け台を前記使用位置に保持し、前記受け台が前記収納位置となったときに前記受け台を覆うカバーを有することを特徴とする反転式のコンテナ締結装置。
【発明の詳細な説明】
【技術分野】
【０００１】
本発明はトラクタに牽引されて走行するコンテナ積載用セミトレーラに設けられ、コンテナを係合する使用位置とコンテナとの干渉を避ける収納位置とに回動自在な反転式のコンテナ締結装置に関する。
【背景技術】
【０００２】
大型トラックで運搬できる積載物は重量や車両全長が定められているため、それ以上の重量や長尺の積載物を運搬する場合にはトラクタとトレーラとの連結車両が多く用いられる。牽引車であるトラクタと被牽引車であるトレーラの連結車両には、牽引車と被牽引車とに荷台が設けられたフルトレーラと、荷台が被牽引車のみに設けられたセミトレーラがある。被牽引車であるセミトレーラには駆動車輪が設けられておらず、追従走行する走行車輪が後端部に配置されており、前端部に備えたキングピンと牽引車であるトラクタの後端部に備えたカプラとを連結することによりトレーラを牽引する。
【０００３】
トレーラに積載されるコンテナには、長さ寸法が２０フィートの小型コンテナと長さ寸法が４０フィートの大型コンテナとがあり、トレーラにコンテナを積載する際にはコンテナの長辺をトレーラの走行方向に平行に積載する。コンテナ積載用セミトレーラには小型コンテナ専用タイプと、大型コンテナ専用タイプと、両方のコンテナの何れをも積載し得る兼用タイプとがある。
【０００４】
積載されるコンテナをトレーラに固定するために、トレーラにはコーナーコーンと言われる係合頭部を有するロックシャフトが受け台に回動自在に設けられている。受け台はコンテナの四隅にそれぞれ形成された係合孔に挿入されてコンテナに係合するようになっており、受け台に回動自在に設けられた係合頭部はロックシャフトによりコンテナに締結する締結位置と締結を解除する開放位置との間で回動される。トレーラには積載されるコンテナの種類とその積載位置に応じてそれぞれ係合頭部と受け台とを有する複数のコンテナ締結装置が設けられており、積載されるコンテナの四隅に対応する位置のコンテナ締結装置を用いてコンテナはトレーラに固定される。このとき、積載されるコンテナの四隅に対応せずにコンテナの底面に対応する位置のコンテナ締結装置は、コンテナと干渉するのを避けるために、トレーラ本体内に入り込む反転式となっており、このような反転式のコンテナ締結装置としては、例えば、特許文献１に開示されている。
【特許文献１】特開２０００−１４２２０５号公報
【発明の開示】
【発明が解決しようとする課題】
【０００５】
従来の反転式のコンテナ締結装置は、係合頭部が設けられて受け台に回動自在に装着されたロックシャフトに操作ハンドルが一体に取り付けられており、コンテナとの干渉を避けるために、係合頭部を受け台とともに収納位置に反転される際には、受け台とともに係合頭部を回動操作する操作ハンドルも一緒に反転移動されることになる。そのため、操作ハンドルは反転移動の障害とならないように小型化する必要があり、操作ハンドルを大型化するには限度があり、操作性が悪いという問題点があった。
【０００６】
例えば、反転式でないコンテナ締結装置のように操作ハンドルをトレーラ本体の走行方向の側壁から突出させて設けると、反転移動の際に障害となるため、従来の反転式のコンテナ締結装置は操作ハンドルが側壁から突出しない構造に限られている。この場合、操作ハンドルを操作するには、トレーラ本体内に手を挿入して操作するか、トレーラ本体の下方に手を延ばして操作する必要があり、作動状態が外部から目視で確認しづらく作業が煩雑であり、操作性が悪い。また、操作ハンドルが係合頭部とともに反転すると、係合頭部を締結位置または開放位置に保持する方向のばね力を操作ハンドルに加えるばね部材を取り付けることができず、コンテナの運搬中に係合頭部とコンテナとの締結が解除されてしまうおそれがある。そのため、従来ではロックシャフトに設けられたＶ溝にボールを係合させるようにしており、ロックシャフトの構造が複雑となる。
【０００７】
本発明の目的は、反転式のコンテナ締結装置のコンテナに対する締結および締結解除操作の操作性を向上させることにある。
【課題を解決するための手段】
【０００８】
本発明の反転式のコンテナ締結装置は、トラクタに牽引されて走行するコンテナ積載用セミトレーラのトレーラ本体に設けられ、コンテナに係合する使用位置と前記コンテナとの干渉を避ける収納位置とに回動自在な反転式のコンテナ締結装置であって、前記トレーラ本体に設けられ、走行方向前後の側壁を有し上面に開口部が形成された台座部と、前記台座部に走行方向を向いて取り付けられた支持軸に設けられ、前記コンテナに形成された係合孔に前記開口部から突出して係合する使用位置と前記台座部内に入り込む収納位置との間に前記支持軸を中心に回動する受け台と、前記受け台に回動自在に装着され、前記コンテナ内に入り込んで前記コンテナを締結する締結位置と締結を解除する開放位置との間に回動する係合頭部が先端に設けられたロックシャフトと、前記台座部に上下方向を向いて回動自在に装着され、前記受け台が前記使用位置となったときに前記ロックシャフトの基端部に設けられた第１の噛み合い部に噛み合い、前記受け台が収納位置となったときに前記第１の噛み合い部との噛み合いを解除する第２の噛み合い部が設けられたハンドルシャフトと、前記ハンドルシャフトに取り付けられ、前記台座部の側壁に形成されたハンドル孔を介して作業者により前記ハンドルシャフトを介して前記係合頭部を前記締結位置と前記開放位置とに回動操作されるハンドルとを有し、前記受け台を前記収納位置に回動させたときには、前記ロックシャフトが前記ハンドルシャフトから離れることを特徴とする。
【０００９】
本発明の反転式のコンテナ締結装置は、前記ハンドルシャフトと前記台座部との間に装着され、前記ハンドルシャフトが前記締結位置および前記開放位置となったときにそれぞれの位置を保持する方向のばね力を前記ハンドルシャフトに加えるばね部材を有することを特徴とする。
【００１０】
本発明の反転式のコンテナ締結装置は、前記台座部に開閉自在に装着され、前記受け台が前記使用位置となったときに前記受け台に当接して前記受け台を前記使用位置に保持し、前記受け台が前記収納位置となったときに前記受け台を覆うカバーを有することを特徴とする。
【発明の効果】
【００１１】
本発明によれば、先端に係合頭部が設けられたロックシャフトの基端部に第１の噛み合い部を設けるとともに、ハンドルが取り付けられたハンドルシャフトに第２の噛み合い部を設け、ロックシャフトが回動自在に装着された受け台が使用位置のもとで第１の噛み合い部と第２の噛み合い部が噛み合い、受け台が収納位置のもとではこれらの噛み合いが解除されてロックシャフトがハンドルシャフトから離れるようにしたので、積載されるコンテナを締結する係合頭部とこの係合頭部のコンテナに対する締結および締結解除を操作するハンドルとを分離することができる。したがって、ハンドルを台座部内に取り付けて、受け台を収納位置に回動させるときにはハンドルが台座内に静止した状態となるので、ハンドルを台座部の側壁に形成されたハンドル孔を介して操作することができ、コンテナの締結および締結解除の操作が容易になる。
【００１２】
また、ハンドルを台座部内にロックシャフトと分離することにより、ハンドルシャフトが締結位置および開放位置となったときにそれぞれの位置を保持する方向のばね力をハンドルシャフトに加えるばね部材をハンドルシャフトに取り付けることができるので、コンテナを運搬中に係合頭部とコンテナとの締結が解除されることを確実に防止することができる。さらに、受け台が使用位置となったときに受け台を使用位置に保持するカバーを開閉式としたので、受け台の使用位置のもとでの保持および保持解除を容易に行うことができる。
【発明を実施するための最良の形態】
【００１３】
以下、本発明の実施の形態を図面に基づいて詳細に説明する。図１は本発明の一実施の形態である反転式のコンテナ締結装置を有するコンテナ積載用セミトレーラの側面図であり、図２は図１の平面図であり、図３は小型コンテナの全体を示す斜視図であり、図４は大型コンテナの床面を示す斜視図である。
【００１４】
図１に示すコンテナ積載用セミトレーラはトラクタに牽引されて積載物であるコンテナを運搬する。長さ寸法２０フィートの小型コンテナ１０ａ〜１０ｃと長さ寸法４０フィートの大型コンテナ１１とのいずれでも積載できる兼用タイプとなっており、これらのコンテナが積載されるトレーラ本体１２は走行方向に延びる複数の縦梁材１３とこの縦梁材１３を相互に連結し横方向に延びる複数の横梁材１４とを有している。縦梁材１３の前部は上方に迫り上がるとともに縦梁材１３相互間が狭窄されるように側方に迫り出すグースネック部１３ａを形成している。
【００１５】
トレーラ本体１２の上面は積載されるコンテナを支持するコンテナ支持面１５となっており、グースネック部１３ａの上面に形成される第１の支持面１５ａと、それよりも下側にグースネック部１３ａを除くトレーラ本体１２の上面で形成される第２の支持面１５ｂとを有している。図１に二点鎖線で示すように、トレーラに空ないし収納荷物が少ない小型コンテナ１０ａ、１０ｂを２つ積載する際には第１の支持面１５ａと第２の支持面１５ｂとに１つずつ積載され、小型コンテナ１０ｃを１つ積載、または大型コンテナ１１を１つ積載する際には、それぞれのコンテナは第２の支持面１５ｂに積載される。
【００１６】
トレーラ本体１２の前端部下面には牽引車であるトラクタと連結するためのキングピン１６が備えられ、トラクタの後端部に設けられたカプラ(図示省略)とトレーラのキングピン１６とが連結されて、トレーラはトラクタに牽引される。トレーラには走行するための駆動車輪が設けられておらず、連結されたトラクタに牽引されてトレーラ本体１２の後部に設けられた走行車輪１７により追従走行をする。
【００１７】
トレーラがトラクタと連結されていないときには、トレーラ本体１２の後部に設けられた走行車輪１７とグースネック部１３ａの後端部に設けられたランディングギヤつまり支持脚１８とによりトレーラ本体１２を支持する。支持脚１８は縦梁材１３のグースネック部１３ａの後端部外側に取り付けられ、上下方向に伸縮自在となっている。トレーラ本体１２を支持する際には支持脚１８を下方向に延伸し、支持脚１８の基端を走行地盤１９に当接させてトレーラ本体１２を水平に支持する。
【００１８】
積載されるコンテナはそれぞれ直方体形状をしており、その長辺がトレーラの走行方向に平行となる状態でコンテナ支持面１５に積載される。小型コンテナ１０ａ〜１０ｃの上下の角部２６のうち下面側の四隅には、図３に示すように、それぞれ長孔からなる係合孔２５が形成されている。大型コンテナ１１の床面２２は、コンテナの荷重をトレーラ本体１２に伝達するために、図４に示すような複数の凹部２３を有する荷重伝達面２４を施した床構造となっており、小型コンテナについても同様の床構造となっている。大型コンテナ１１の後端部側の角部には小型コンテナと同様にそれぞれ長孔からなる係合孔（図示省略）が形成され、先端側には図４に示すように前方に開口する係合孔２５ａが形成されている。
【００１９】
複数種類のコンテナをそれぞれトレーラ本体１２に所定の位置で締結するために、図１および図２に示すように、トレーラ本体１２には複数のコンテナ締結装置２９〜３４が設けられている。それぞれのコンテナ締結装置２９〜３４は、図２に示すように左右に１つずつ設けられており、それぞれ係合孔２５からコンテナ内に入り込んでコンテナを締結する係合頭部３７が設けられた締結具３５を有し、係合頭部３７は締結位置と締結を解除する開放位置とに回動自在となっている。先端部の横梁材１４の両端部側面１４ｂには、大型コンテナ１１の係合孔２５ａに係合するピン３６がトレーラの進行方向後方に向けて突出されている。
【００２０】
トレーラ本体１２に小型コンテナ１０ａ、１０ｂを２つ積載する際には、図１に示すように、それぞれのコンテナ１０ａ，１０ｂはトレーラ本体１２の前後方向にずらして配置して積載され、前側に配置される小型コンテナ１０ａはコンテナ締結装置２９、３１により締結され、後側に配置される小型コンテナ１０ｂはコンテナ締結装置３２、３４により締結される。小型コンテナ１０ｃをトレーラ本体１２の中央部に配置して積載する際には、この小型コンテナ１０ｃはコンテナ締結装置３０、３３により締結される。一方、大型コンテナ１１をトレーラ本体１２に積載する際には、先端部がピン３６に係合されるとともに後端部がコンテナ締結装置３４により締結される。
【００２１】
コンテナ締結装置３１はボルスタ３８に設けられており、このボルスタ３８により小型コンテナ１０ａを支持する位置と、第２の支持面１５ｂから退避した位置との間で移動自在のかさ上げ式となっている。コンテナ締結装置２９は第１の支持面１５ａから常時突出し、コンテナ締結装置３４は第２の支持面１５ｂから常時突出しており、それぞれ固定式となっている。これに対し、コンテナ締結装置３０、３２、３３は第２の支持面１５ｂから突出してコンテナに係合する使用位置と、対応しないコンテナとの干渉を避けるための収納位置とに回動自在の反転式となっている。このように、トラクタに牽引されて走行するコンテナ積載用セミトレーラのトレーラ本体１２には、積載されるコンテナの種類やその積載位置に応じて複数のコンテナ締結装置２９〜３４が設けられている。
【００２２】
図５は本発明の一実施の形態である反転式のコンテナ締結装置３０、３２、３３を示す一部切り欠き斜視図であり、図６は反転式のコンテナ締結装置３０、３２、３３の分解斜視図である。
【００２３】
この反転式のコンテナ締結装置３０、３２、３３は、図５および図６に示すように、トレーラ本体１２に設けられる台座部４０を有しており、台座部４０は断面正方形となっており、走行方向前後に平行に配置された一対の側壁４１と上下方向に平行に配置された上面壁４２および底面壁とを有している。台座部４０は、横梁材１４を利用してその両端部１４ａに横梁材１４に一体となって形成されているが、横梁材１４を利用することなく、トレーラ本体１２に角筒形の台座部４０を取り付けるようにしても良い。台座部４０の外側端面には閉塞壁４３が固定され台座部４０の端部は閉塞されている。
【００２４】
台座部４０の上面壁４２に形成された取付孔４４にはフレーム４５が取り付けられ、このフレーム４５は、上面壁４２を覆う天板４６と天板４６から下方に延びて取付孔４４の走行方向前後の枠縁に当接する一対の側板４７とを有している。天板４６には上面壁４２の取付孔４４に対向する位置に矩形の開口部４８が形成されており、フレーム４５を介して台座部４０の上面に形成された開口部４８により台座部４０は開口している。なお、天板４６の上面はトレーラ本体１２に積載されるコンテナを支持するコンテナ支持面１５となっている。
【００２５】
図７は使用位置のもとでの反転式のコンテナ締結装置３０、３２、３３の中央縦断面図であり、図８は図７の平面図であり、図９は図７の９−９線に沿う断面図であり、図１０は図７の１０−１０線に沿う断面図であり、図１１は収納位置のもとでの反転式のコンテナ締結装置３０、３２、３３の中央縦断面図である。
【００２６】
図６に示すように、フレーム４５の側板４７の右側部には支持孔４９が形成されており、この支持孔４９に挿入される支持軸５０が走行方向前後の一対の側板４７に取り付けられている。支持軸５０には軸受ブロック５１が装着され、この軸受ブロック５１に固定された矩形の受け板５２を介して軸受ブロック５１には受け台５３が取り付けられている。受け台５３はコンテナの係合孔２５に対応した形状となっており、支持軸５０を中心に、開口部４８から突出して積載されるコンテナの係合孔２５に係合する使用位置と台座部４０内に入り込む収納位置との間に回動する。図７に示すように、使用位置のもとでは、受け板５２の上面５２ａとフレーム４５の天板４６の上面に形成されたコンテナ支持面１５とが同一平面上に位置し、受け台５３はコンテナ支持面１５から上方へ突出している。一方、図１１に示すように、収納位置のもとでは、受け板５２の上面５２ａが下方を向き、受け台５３が台座部４０内に入り込む。なお、受け台５３が使用位置のもとで受け板５２の上面５２ａとコンテナ支持面１５とが同一平面上に位置するように図示したが、受け台５３がコンテナ支持面１５から突出していれば、受け板５２の上面５２ａがコンテナ支持面１５より下方に位置しても良い。
【００２７】
受け台５３にはこれを貫通してロックシャフト５４が回動自在に装着されており、ロックシャフト５４の先端に設けられたコーナーコーンと言われる係合頭部３７が積載されるコンテナ内に入り込んで、コンテナを締結する締結位置と締結を解除する開放位置との間に回動する。図８に二点鎖線で示すように、締結位置のもとでは係合頭部３７の長手方向は受け台５３の長手方向に対して直角になる。一方、図８に実線で示すように、開放位置のもとでは係合頭部３７の長手方向は受け台５３の長手方向に平行となる。
【００２８】
ロックシャフト５４の基端部にはカラー５５が取り付けられており、ロックシャフト５４の基端部はカラー５５から突出し、基端部にはロックシャフト５４の径方向に延びる凹部５６が第１の噛み合い部として形成されている。
【００２９】
軸受ブロック５１に受け板５２を介して固定された受け台５３と、係合頭部３７が設けられたロックシャフト５４により締結具３５が形成されており、締結具３５は支持軸５０を中心として使用位置と収納位置との間に回動する。締結具３５は収納位置のもとでは、図１１に示すように、積載されるコンテナと干渉しないように、台座部４０内に入り込みコンテナ支持面１５よりも下方に位置し、凹部５６もコンテナ支持面１５よりも下方になる。
【００３０】
ロックシャフト５４の基端部に設けられた凹部５６に噛み合うように、第２の噛み合い部としての凸部５７が設けられたハンドルシャフト５８がハンドル取付板５９を介して台座部４０に上下方向を向いて回動自在に装着されている。ハンドルシャフト５８には、図７に示すように、凸部５７が凹部５６に噛み合ったときにロックシャフト５４の端面に対向するカラー５８ａが設けられている。ハンドルシャフト５８は、締結具３５が使用位置となると、ロックシャフト５４とハンドルシャフト５８が同軸上になって凹部５６と凸部５７とが噛み合い、収納位置になると噛み合いを解除する。なお、ロックシャフト５４の基端部に凹部５６が設けられハンドルシャフト５８に凸部５７が設けられているが、これらを逆にして、ロックシャフト５４の基端部に第１の噛み合い部としての凸部を設けハンドルシャフト５８に第２の噛み合い部としての凹部を設けるようにしても良い。
【００３１】
フレーム４５の側板４７の右側の端部は図６に示すように下方向に突出しており、この突出部４７ａに、図９に示すように、ハンドル取付板５９の両端が取り付けられる。ハンドル取付板５９の中央にはハンドルシャフト５８が挿入される取付孔５９ａが形成され、ハンドル取付板５９から下方に突出したハンドルシャフト５８の基端部にカラー６０が取り付けられ、ハンドルシャフト５８はハンドル取付板５９に回動自在に装着される。
【００３２】
カラー６０を介してハンドルシャフト５８には径方向に延びるハンドル６１が取り付けられており、このハンドル６１の操作によりハンドルシャフト５８を介して係合頭部３７の回動が操作される。台座部４０の走行方向後側の側壁４１に形成されたサービスホールつまりハンドル孔６２を介して作業者によりハンドル６１が回動操作され、図８に示すように、ハンドル６１を実線で示す開放位置に操作することにより係合頭部３７は開放位置に回動され、ハンドル６１を二点鎖線で示す締結位置に操作することにより係合頭部３７は締結位置に回動される。
【００３３】
締結具３５を使用位置に回動させたときには、ロックシャフト５４の基端部に設けられた凹部５６とハンドルシャフト５８の先端に設けられた凸部５７とが噛み合っており、この噛み合いによりハンドル６１の操作がハンドルシャフト５８を介してロックシャフト５４に伝達される。ハンドル６１が開放位置のもとでは、ハンドルシャフト５８はハンドル６１に連結されたハンドルシャフト５８の凸部５７とこれに噛み合うロックシャフト５４の凹部５６とが図９の実線で示すように横方向つまり受け台５３の長手方向に対し直角方向の開放位置となり、係合頭部３７は図８に示すように開放位置となる。ハンドル６１が締結位置のもとでは、ハンドルシャフト５８は凸部５７とこれに噛み合う凹部５６とが図９の二点差線で示すように縦方向つまり受け台５３の長手方向に平行となる締結位置となり、係合頭部３７は図８に示すように締結位置となる。一方、受け台５３とともに締結具３５を収納位置に回動させたときには、凹部５６が凸部５７から離れ、ハンドル６１の回動操作は係合頭部３７に伝達されない。
【００３４】
係合頭部３７の回動を操作する操作部材６３は、ハンドルシャフト５８、カラー６０およびハンドル６１により構成されており、上述したように、締結具３５は操作部材６３と連結された使用位置と、操作部材６３から分離された収納位置とに回動自在となっている。したがって、従来の反転式のコンテナ締結装置のように締結具３５にはハンドル６１が取り付けられていないので、締結具３５が回動してもハンドル６１は一定の位置を保持することになり、作業者はハンドル６１を台座部４０の側壁４１に形成されたハンドル孔６２を介して操作することができる。これにより、従来のように台座部４０内や台座部４０の下方に手を延ばして操作する必要がなくコンテナの締結および締結解除の操作が容易になる。
【００３５】
カラー６０には、図９に示すように、丸棒からなる突起６４が取り付けられており、ハンドル６１の回動操作によってこの突起６４はハンドルシャフト５８の軸を中心として回動する。ハンドル取付板５９の両側には下方に延びる一対のストッパ６５が取り付けられており、ハンドル６１の操作によりこのストッパ６５に突起６４が当接するようになっている。ハンドル６１が開放位置のもとでは、図９において点線で示した突起６４は図において左側のストッパ６５に当接し、ハンドル６１が締結位置のもとでは、突起６４は二点鎖線で示したように図において右側のストッパ６５に当接している。このように、開放位置および締結位置のもとでストッパ６５に突起６４が当接することで、ハンドル６１の操作は開放位置と締結位置との間で制限されるようになっている。
【００３６】
ハンドル６１には下方向に延びるばね取付板６６が設けられており、そのばね取付板６６の先端にはばね部材としての引張りコイルばね６７の一端が係止されている。引張りコイルばね６７の他端は図６に示すように台座部４０の内部に取り付けられたばね取付アングル６８に係止されており、ハンドル６１を介してハンドルシャフト５８と台座部４０との間に装着された引張りコイルばね６７は、図１０に示すように、ハンドルシャフト５８が締結位置および開放位置となったときにそれぞれの位置を保持する方向のばね力をハンドルシャフト５８に加えている。このように、締結位置および開放位置となったときにそれぞれの位置を保持する方向のばね力をハンドルシャフト５８に加える引張りコイルばね６７を設けたので、コンテナを運搬中に締結具３５とコンテナとの締結が解除されることを確実に防止することができる。なお、上述のように締結具３５と操作部材６３とを分離型とし、操作部材６３を台座部４０内に固定するようにしたので、操作部材６３にばね部材を設けることが可能になる。本実施の形態では、ばね部材としての引張りコイルばね６７をハンドル６１に取り付けたが、例えば、ハンドルシャフト５８やカラー６０に取り付けるようにしても良い。
【００３７】
図６に示すように、フレーム４５の側板４７には支持孔６９が形成されており、この支持孔６９に挿入される支持軸７０が走行方向前後の一対の側板４７を貫通して延びている。支持軸７０は、図５に示すように軸受ブロック７１を貫通しており、軸受ブロック７１には矩形のカバー７２が開口部４８内に入り込むように取り付けられ、カバー７２は支持軸７０を中心に開閉自在に支持軸７０を介して台座部４０に装着されている。図７に示すように、カバー７２を閉じるとカバー７２の上面７２ａとフレーム４５の天板４６の上面に形成されたコンテナ支持面１５とが同一平面上となる。なお、カバー７２が閉じられた状態のもとでカバー７２の上面７２ａとコンテナ支持面１５とが同一平面上に位置するように図示したが、カバー７２の上面７２ａがコンテナ支持面１５より下方に位置しても良い。
【００３８】
締結具３５が使用位置となった状態のもとでカバー７２が閉じられると、図７に示すようにカバー７２の先端部が軸受ブロック５１に取り付けられた開閉ストッパ７３に支持され、カバー７２は受け板５２を介して受け台５３に当接して締結具３５を使用位置に保持する。このように、カバー７２は使用位置の締結具３５を固定するためのストッパとしての機能を有している。一方、締結具３５が収納位置となると、図１１に示すように受け板５２はストッパ丸棒７４に当接して収納位置に保持される。この状態のもとでカバー７２を閉じると締結具３５はカバー７２により覆われる。カバー７２の開閉操作はカバー７２の先端部に形成された操作孔７５に指を掛けて手動により行われ、開閉式カバー７２により受け台５３の使用位置のもとでの保持と保持解除とを容易に行うことができる。
【００３９】
図１２〜１６は反転式のコンテナ締結装置３０、３２、３３の動作を示す斜視図である。
【００４０】
図１２は反転式のコンテナ締結装置３０、３２、３３におけるコンテナ締結状態を示す。使用位置にある締結具３５をコンテナの係合孔２５に挿入した状態で、ハンドル６１を締結位置に回動操作すると係合頭部３７が係合孔２５内で締結位置に回動されてコンテナはトレーラ本体１２に締結される。このときに、カバー７２は閉じた位置にあり、締結具３５を使用位置に保持している。
【００４１】
図１２のコンテナ締結状態からコンテナの締結を解除するには、台座部４０のハンドル孔６２を介してハンドル６１を手前に操作し、ハンドル６１を締結位置から開放位置に回動操作する。締結具３５が使用位置のもとではロックシャフト５４の凹部５６とハンドルシャフト５８の凸部５７とが噛み合っており、これらハンドルシャフト５８およびロックシャフト５４を介してハンドル６１の回動操作が係合頭部３７に伝達されて係合頭部３７は、図１３に示すように締結位置から開放位置に回動される。このように、係合頭部３７が開放位置に回動されると、コンテナの締結が解除され、コンテナをトレーラ本体１２に積み卸し可能な状態となる。積載されたコンテナを締結するには、図１３の状態から図１２の状態に操作する。
【００４２】
反転式のコンテナ締結装置により締結されないコンテナを積載する場合には、締結具３５を図１３の使用位置から図１６の収納位置に操作することにより、締結具３５を台座部４０内に収納する。図１３の状態ではカバー７２により締結具３５が使用位置に保持されており、この保持を解除するためにカバー７２の操作孔７５に指を掛けて、図１４に示すように、カバー７２を開位置に操作する。このようにカバー７２による締結具３５の保持を解除することで、締結具３５は使用位置と収納位置との間で回動自在となる。
【００４３】
カバー７２が開放された状態のもとで締結具３５を収納位置に回動させると図１５に示すように締結具３５は台座部４０内に入り込む。この収納位置のもとでは、締結具３５はコンテナ支持面１５よりも下方に位置し、コンテナ支持面１５に積載されるコンテナと干渉することはない。次いで、図１６に示すように、操作孔７５に指を掛けてカバー７２を閉位置に操作すれば、締結具３５を使用位置から収納位置に回動させる操作が完了する。図１６の状態では、カバー７２の下面がロックシャフト５４の基端面に当接し締結具３５を覆うとともに、カバー７２の上面７２ａはコンテナ支持面１５の同一平面上かそれよりも下方に位置しコンテナ支持面１５に積載されるコンテナと干渉することはない。
【００４４】
本発明は前記実施の形態に限定されるものではなくその要旨を逸脱しない範囲で種々変更可能である。例えば、小型コンテナ１０ａ〜１０ｃと大型コンテナ１１とのいずれでも積載できる兼用タイプのコンテナ積載用セミトレーラに限定されず、例えば小型コンテナ１０ｃを１つまたは大型コンテナ１１を１つ積載する兼用タイプのコンテナ積載用セミトレーラでも良い。また、締結具３５を使用位置および収納位置に保持するストッパとして開閉式のカバー７２を用いたが、締結具３５を台座部４０に固定する着脱式のピンなどを用いても良い。さらに、収納位置は支持軸５０を中心として使用位置から１８０°回動させた位置に限定されず、締結具３５およびカバー７２がコンテナ支持面１５と同一平面上かそれより下方に位置する範囲で種々変更可能である。
【図面の簡単な説明】
【００４５】
【図１】本発明の一実施の形態である反転式のコンテナ締結装置を有するコンテナ積載用セミトレーラの側面図である。
【図２】図１の平面図である。
【図３】小型コンテナの全体を示す斜視図である。
【図４】大型コンテナの床面の形状を示す斜視図である。
【図５】本発明の一実施の形態である反転式のコンテナ締結装置を示す一部切り欠き斜視図である。
【図６】反転式のコンテナ締結装置の分解斜視図である。
【図７】使用位置のもとでの反転式のコンテナ締結装置の中央縦断面図である。
【図８】図７の平面図である。
【図９】図７の９−９線に沿う断面図である。
【図１０】図７の１０−１０線に沿う断面図である。
【図１１】収容位置のもとでの反転式のコンテナ締結装置の中央縦断面図である。
【図１２】反転式のコンテナ締結装置の動作を示す斜視図である。
【図１３】反転式のコンテナ締結装置の動作を示す斜視図である。
【図１４】反転式のコンテナ締結装置の動作を示す斜視図である。
【図１５】反転式のコンテナ締結装置の動作を示す斜視図である。
【図１６】反転式のコンテナ締結装置の動作を示す斜視図である。
【符号の説明】
【００４６】
１０ａ〜１０ｃ    小型コンテナ
１１        大型コンテナ
１２        トレーラ本体
１３        縦梁材
１４        横梁材
１５        コンテナ支持面
２５        係合孔
３０、３２、３３    反転式のコンテナ締結装置
３５        締結具
３７        係合頭部
４０        台座部
４１        側壁
４５        フレーム
４６        天板
４７        側板
５３        受け台
５４        ロックシャフト
５６        凹部（第１の噛み合い部）
５７        凸部（第２の噛み合い部）
５８        ハンドルシャフト
６１        ハンドル
６２        ハンドル孔
６３        操作部材
６７        引張りコイルばね（ばね部材）
７２        カバー
７５        操作孔
【図１】
0004919924.tif 000002
【図２】
0004919924.tif 000003
【図３】
0004919924.tif 000004
【図４】
0004919924.tif 000005
【図５】
0004919924.tif 000006
【図６】
0004919924.tif 000007
【図７】
0004919924.tif 000008
【図８】
0004919924.tif 000009
【図９】
0004919924.tif 000010
【図１０】
0004919924.tif 000011
【図１１】
0004919924.tif 000012
【図１２】
0004919924.tif 000013
【図１３】
0004919924.tif 000014
【図１４】
0004919924.tif 000015
【図１５】
0004919924.tif 000016
【図１６】
0004919924.tif 000017